(57)【要約】      （修正有）【課題】布団等の寝具を干す際に、寝具を人目に晒すことを防止できるとともに、寝具に花粉や埃が被るのを防止でき、さらに寝具干しカバーが風によって捲れるのを防止することができる寝具干しカバーを提供する。【解決手段】この寝具干しカバーは、黒地の布からなるもので、カバー本体１の表側には、上端部分を除く部分に、模様が施されている。カバー本体１の上端部および下端部にそれぞれ、捲れ留め部３および捲れ留め部４が設けられている。捲れ留め部３は、布本体１の中央側が開口した袋状の挿入部により形成されている。捲れ留め部４は、収容部４１とこの収容部４１に収容された重し４２とにより構成されている。収容部４１の複数個の取り出し口４３には、ファスナー等の開閉具４４が設けられており、取り出し口４３を開閉できるようになっている。布団干しカバーを洗濯するときなどには、開閉具４４を開けて重し４２を収容部４１から取り出す。【選択図】図２
0003161819.tif 000002
【実用新案登録請求の範囲】
【請求項１】
布団等の寝具を干す際に前記寝具の表面を覆う寝具干しカバーであって、布からなるカバー本体の一端部および他端部にそれぞれ、捲れ留め部が設けられていることを特徴とする寝具干しカバー。
【請求項２】
前記カバー本体の一端部の前記捲れ留め部は、前記寝具の一端部の少なくとも一部が挿入可能な挿入部により形成され、他端部の前記捲れ留め部は、重りとこの重りを取り出し可能に収容する収容部とにより形成されていることを特徴とする請求項１に記載の寝具干しカバー。
【請求項３】
前記カバー本体は、黒地の布からなるとともに、少なくとも一方の面に模様が施されていることを特徴とする請求項１または請求項２に記載の寝具干しカバー。
【考案の詳細な説明】
【技術分野】
【０００１】
本考案は、布団等の寝具を干す際に用いる寝具干しカバーに関するものである。
【背景技術】
【０００２】
従来、寝具を干す際に、寝具干しカバーを用いることは行われていなかった。
【考案の概要】
【考案が解決しようとする課題】
【０００３】
そのため、次のような問題があった。
（１）寝具は天候の良い日に干されるが、このような日は花粉、埃が飛散する日であるので、特に街道沿いの住宅等では寝具がこれらの花粉、埃を多く被る。
（２）寝具が人目に触れることにためらいがある。
【０００４】
本考案は、上記事情に鑑みて為されたもので、布団等の寝具を干す際に、寝具を人目に晒すことを防止できるとともに、寝具に花粉や埃が被るのを防止でき、さらに寝具干しカバーが風によって捲れるのを防止することができる寝具干しカバーを提供することを目的とする。
【課題を解決するための手段】
【０００５】
前記目的を達成するために、請求項１に記載の寝具干しカバーは、布団等の寝具を干す際に前記寝具の表面を覆う寝具干しカバーであって、布からなるカバー本体の一端部および他端部にそれぞれ、捲れ留め部が設けられていることを特徴とする。
【０００６】
請求項１に記載の寝具干しカバーにおいては、布団等の寝具を干す際にこの寝具干しカバーにより寝具の表面を覆うことができるので、寝具を人目に晒すことを防止できるとともに、寝具に花粉や埃が被るのを防ぐことができる。さらに、カバー本体の一端部および他端部にそれぞれ捲れ留め部が設けられているので、寝具干しカバーが風によって捲れるのを防止することができる。
【０００７】
請求項２に記載の寝具干しカバーは、請求項１に記載の考案において、前記カバー本体の一端部の前記捲れ留め部は、前記寝具の一端部の少なくとも一部が挿入可能な挿入部により形成され、他端部の前記捲れ留め部は、重りとこの重りを取り出し可能に収容する収容部とにより形成されていることを特徴とする。
【０００８】
請求項２に記載の寝具干しカバーにおいては、カバー本体の一端部の挿入部に寝具の一端部の少なくとも一部を挿入するとともに、寝具の日が当たる側を寝具干しカバーで覆いつつ、寝具干しカバーの下端部を下方に垂らすことにより、寝具干しカバーを寝具に簡単に装着することができる。
【０００９】
請求項３に記載の寝具干しカバーは、請求項１または請求項２に記載の考案において、前記カバー本体は、黒地の布からなるとともに、少なくとも一方の面に模様が施されていることを特徴とする。
【００１０】
請求項３に記載の寝具干しカバーにおいては、カバー本体が黒地の布からなるので、太陽熱吸収率が良く、さらに少なくとも一方の面に模様が施されているので、この面を表面側に使用することにより、美観に優れたものとなる。この場合、模様として細書きの模様を用いると、黒地の布の太陽吸収率をほとんど損なうことなく、美観に優れたものとすることができる。
【考案の効果】
【００１１】
本考案の寝具干しカバーによれば、布団等の寝具を干す際に寝具を人目に晒すことを防止できるとともに、寝具に花粉や埃が被るのを防ぐことができる。さらに、カバー本体の一端部および他端部にそれぞれ捲れ留め部が設けられているので、寝具干しカバーが風によって捲れるのを防止することができる。
【図面の簡単な説明】
【００１２】
【図１】本考案の実施の形態に係る寝具干しカバーであって、表面図である。
【図２】同、裏面図である。
【考案を実施するための形態】
【００１３】
以下、本考案の実施の形態を図面を参照して説明する。
図１および図２に示すように、本発明の実施の形態に係る寝具干しカバーは、方形状の黒地の布からなるものであって、カバー本体１の表側には、上端部分を除く部分に、模様２が施されている。この模様２は、例えば細書きの模様である。模様の図柄は、例えば花、動物、文様、幾何学模様等である。模様２は、明るい色彩で施すのが望ましい。カバー本体１の表側の模様２が施されていない部分は、例えば全体の長さの２〜３割程度とする。カバー本体１の大きさを、掛け布団の表面を覆う程度の大きさにしておくと、敷き布団にも使用することができる。また、この寝具干しカバーを２枚あるいは３枚と複数枚を用意すると、バルコニーの棚等一杯にこの寝具干しカバーを使用することができる。
【００１４】
また、カバー本体１の上端部（一端部）および下端部（他端部）にそれぞれ、捲れ留め部３および捲れ留め部４が設けられている。
捲れ留め部３は、見返しの布をカバー本体１の裏側に当てて三方を縫い付けることにより、または、布本体１の上端部をこのカバー本体１の裏側に折り返して三方を縫い付けることにより、布本体１の中央側が開口した袋状の挿入部３１により形成されている。
一方、捲れ留め部４は、収容部４１とこの収容部４１に収容された重し４２とにより構成されている。収容部４１は、見返しの布をカバー本体１の裏側に当てて四方を縫い付けることにより、または、布本体１の上端部をこの布本体１の裏側に折り返して四方を縫い付けることにより、袋状に形成されている。この収納部４１には、布本体１の中央部側に幅方向に間隔をおいて複数個の取り出し口４３が形成されている。取り出し口４３には、ファスナー等の開閉具４４が設けられており、取り出し口４３を開閉できるようになっている。布団干しカバーを洗濯するときや収納するときなどには、開閉具４４を開けて重し４２を収容部４１から取り出す。
【００１５】
この寝具干しカバーは、次のようにして使用される。
まず、布団等の寝具を例えばバルコニーの柵等の布団干し支持部に逆Ｕ字状に掛ける。このとき、寝具は、日に当たる側が長く垂れるようにする。例えば、日に当たる側が全体の寝具の全体の長さの７割程度になるようにする。
次いで、この寝具の上端部を寝具干しカバーの上端部の挿入部３１（捲れ留め部３）内に挿入した後、寝具の日が当たる側を寝具干しカバーで表側の模様が見えるようにして覆いつつ、寝具干しカバーの下端部を下方に垂らす。このようにすると、寝具干しカバーの下端部の重りで寝具干しカバーが弛みなくのびた状態で、寝具を覆う。
次いで、布団ばさみ等の固定具で、寝具を寝カバーとともに具干し支持部に固定する。
【００１６】
このように構成された寝具干しカバーにあっては、布団等の寝具を干す際にこの寝具干しカバーにより寝具の表面を覆うことができるので、寝具を人目に晒さなくて済むとともに、寝具に花粉や埃が被るのを防ぐことができる。さらに、カバー本体１の上端部および下端部にそれぞれ捲れ留め部３および捲れ留め部４が設けられているので、寝具干しカバーが風によって捲れるのを防止することができる。
【００１７】
また、カバー本体１の一端部の挿入部３１（捲れ留め部３）に寝具の一端部を挿入するとともに、寝具の日が当たる側を寝具干しカバーで覆いつつ、寝具干しカバーの下端部を下方に垂らすことにより、寝具干しカバーを寝具に簡単に装着することができる。さらに、下端部の捲れ留め部４に重し４２を設けているので、捲れ防止効果が高い。さらには、捲れ留め部４を構成する収納部４１の取り出し口４３に、ファスナー等の開閉具４４が設けられているので、寝具干しカバーを洗濯したり、収納したりするときに、重し４２を取り出しておくことができる。
【００１８】
また、カバー本体１が黒地の布からなるので、太陽熱吸収率が良く、さらに一方の面に模様２が施されているので、この面を表面側にして使用することにより、美観に優れたものとなる。さらには、模様２として細書きの模様を用いると、黒地の布の太陽吸収率をほとんど損なうことなく、美観に優れたものとすることができる。
【００１９】
なお、上述の実施の形態では、捲れ留め部３としての挿入部３１を布本体１の上端部全体に設けるようにしたが、布本体１の上端部の一部に挿入部を設けるようにしてもよい。例えば、布本体１の上端部の両角部に三角状に挿入部を形成するようにしてもよい。またた、捲れ留め部３，４は、上述の実施の形態に限ることなく、他の構造を採用してもよい。また、上述の実施の形態では、模様２を一方の面にのみ施すようにしたが、両面に模様を施すようにしてもよい。
【符号の説明】
【００２０】
１    布本体
２    模様
３    捲れ留め部
４    捲れ留め部
４１  収容部
４２  重し
４３  取り出し口
４４  開閉具
【図１】
0003161819.tif 000003
【図２】
0003161819.tif 000004